(57)【要約】【課題】操作者が筐体内の状態を十分に観察することができるようにする。【解決手段】プラテン２５と、主走査方向に移動自在に配設されたキャリッジ１７と、記録媒体をプラテン２５に向けて搬送する搬送部材と、キャリッジ１７の移動に伴って記録媒体に向けてインク滴を吐出し、記録を行う記録ヘッドＨｄｉと、前壁Ｗｆ、頂壁Ｗｔ及び背壁Ｗｒを備え、インクジェットプリンタ１０の本体を包囲する筐体Ｃｓと、筐体Ｃｓ内の状態を観察するための透過窓と、光源によって発生させた光を放射光として放射する複数の照明装置４５とを有する。放射光が操作者の目に入ることがないので、操作者は、筐体Ｃｓ内の状態を確実に観察することができる。【選択図】図１
2019034428.tif 000002
【特許請求の範囲】
【請求項１】
（ａ）主走査方向に延在させて配設され、記録媒体を支持するプラテンと、
（ｂ）該プラテンに沿って主走査方向に移動自在に配設されたキャリッジと、
（ｃ）前記記録媒体をプラテンに向けて搬送する搬送部材と、
（ｄ）前記キャリッジに搭載され、キャリッジの移動に伴って記録媒体に向けてインク滴を吐出し、記録を行う記録ヘッドと、
（ｅ）前壁、頂壁及び背壁を備え、インクジェットプリンタの本体を包囲する筐体と、
（ｆ）前記前壁に配設され、筐体内の状態を観察するための透過窓と、
（ｇ）前記筐体内において、前記プラテンより前壁側に配設され、光源によって発生させた光を放射光として放射する複数の照明装置とを有することを特徴とするインクジェットプリンタ。
【請求項２】
前記照明装置は前記透過窓の下端に配設される請求項１に記載のインクジェットプリンタ。
【請求項３】
前記照明装置は放射光をプラテンに向けて放射する請求項１又は２に記載のインクジェットプリンタ。
【請求項４】
前記照明装置は、放射光を放射する光放出部を備え、該光放出部に拡散板が配設される請求項１〜３のいずれか１項に記載のインクジェットプリンタ。
【請求項５】
前記筐体内におけるプラテンより背壁側に反射部が配設される請求項１〜４のいずれか１項に記載のインクジェットプリンタ。
【請求項６】
前記反射部は、記録媒体で反射された反射光を拡散させて更に反射する請求項５に記載のインクジェットプリンタ。
【請求項７】
前記透過窓は、上端が下端より前記背壁側に位置させられる請求項１〜６のいずれか１項に記載のインクジェットプリンタ。
【請求項８】
前記透過窓は、下端が上端より前記背壁側に位置させられる請求項１〜６のいずれか１項に記載のインクジェットプリンタ。
【発明の詳細な説明】
【技術分野】
【０００１】
本発明は、インクジェットプリンタに関するものである。
【背景技術】
【０００２】
従来、プリンタ、複写機、ファクシミリ、複合機等の画像形成装置、例えば、インクジェットプリンタにおいては、キャリッジがレールに沿って移動させられ、キャリッジに搭載された記録ヘッドからインク滴が吐出され、記録媒体に付着させられることによって文字、イメージ等の画像が形成され、印刷が行われるようになっている。
【０００３】
ところで、前記インクジェットプリンタにおいては、インクジェットプリンタの本体、すなわち、装置本体を包囲する筐体内の状態、例えば、印刷が行われた直後の記録媒体の状態を観察すると、印刷の不良を早期に発見することができる。
【０００４】
そのために、前記筐体に透明カバーが配設され、操作者は透明カバーを介して筐体内を目視することによって記録媒体の状態を観察することができる。
【０００５】
ところが、筐体内は暗いので、視認性が低く、操作者は記録媒体の状態を十分に観察することができない。
【０００６】
そこで、レジストレーションを行うためにキャリッジに配設された検査用のセンサの発光素子であるＬＥＤを利用し、キャリッジを移動させながら記録ヘッドによる記録を行うとともに、ＬＥＤを発光させ、発生させられた光を記録媒体に照射するようにしたインクジェットプリンタが提供されている（例えば、特許文献１参照。）。
【０００７】
該インクジェットプリンタにおいては、記録ヘッドのノズルからのインク滴の吐出に同期させてＬＥＤが発光させられ、発生させられた光が記録媒体に照射されるので、操作者は、透明カバーを介して筐体内を目視することによって、記録媒体の状態を観察することができる。
【先行技術文献】
【特許文献】
【０００８】
【特許文献１】特開２００７−１０５９２７号公報
【発明の概要】
【発明が解決しようとする課題】
【０００９】
しかしながら、前記従来のインクジェットプリンタにおいては、検査用のセンサの発光素子であるＬＥＤの発光強度が低いだけでなく、発生させられた光が照射される範囲が狭いので、キャリッジの周辺だけが明るくなり、キャリッジから離れた箇所における記録媒体の状態を観察することができない。キャリッジから離れた箇所における記録媒体の状態を観察しようとすると、キャリッジを移動させなければならず、インクジェットプリンタの操作が煩わしい。
【００１０】
また、ＬＥＤの光は記録媒体にスポット的に照射されるので、照射むらが発生し、記録媒体の状態を精度良く観察することができない。
【００１１】
そして、記録媒体に照射されたＬＥＤの光が記録媒体上で反射したときの反射光の強度が大きいので、操作者が記録媒体を見る角度によっては、反射光が目に入り、眩しくて、記録媒体の状態を観察することができなくなってしまう。
【００１２】
さらに、用紙詰まり等の不具合が生じた場合には、キャリッジが停止させられるので、ＬＥＤの光を不具合が生じた箇所に照射することができず、不具合の状態を観察することができない。
【００１３】
本発明は、前記従来のインクジェットプリンタの問題点を解決して、操作者が筐体内の状態を十分に観察することができるインクジェットプリンタを提供することを目的とする。
【課題を解決するための手段】
【００１４】
そのために、本発明のインクジェットプリンタにおいては、主走査方向に延在させて配設され、記録媒体を支持するプラテンと、該プラテンに沿って主走査方向に移動自在に配設されたキャリッジと、前記記録媒体をプラテンに向けて搬送する搬送部材と、前記キャリッジに搭載され、キャリッジの移動に伴って記録媒体に向けてインク滴を吐出し、記録を行う記録ヘッドと、前壁、頂壁及び背壁を備え、インクジェットプリンタの本体を包囲する筐体と、前記前壁に配設され、筐体内の状態を観察するための透過窓と、前記筐体内において、前記プラテンより前壁側に配設され、光源によって発生させた光を放射光として放射する複数の照明装置とを有する。
【発明の効果】
【００１５】
本発明によれば、インクジェットプリンタにおいては、主走査方向に延在させて配設され、記録媒体を支持するプラテンと、該プラテンに沿って主走査方向に移動自在に配設されたキャリッジと、前記記録媒体をプラテンに向けて搬送する搬送部材と、前記キャリッジに搭載され、キャリッジの移動に伴って記録媒体に向けてインク滴を吐出し、記録を行う記録ヘッドと、前壁、頂壁及び背壁を備え、インクジェットプリンタの本体を包囲する筐体と、前記前壁に配設され、筐体内の状態を観察するための透過窓と、前記筐体内において、前記プラテンより前壁側に配設され、光源によって発生させた光を放射光として放射する複数の照明装置とを有する。
【００１６】
この場合、照明装置がプラテンより前壁側に配設され、複数の光源によって発生させられた光が放射光として放射され、放射光によって被照射物が照射される。
【００１７】
したがって、照明装置の放射光が操作者の目に入ることがないので、操作者は筐体内の状態を十分に観察することができる。
【００１８】
また、複数の光源によって発生させられた光が放射光として放射されるので、被照射物が筐体内のいずれの箇所にあっても照射することができるだけでなく、被照射物の照射むらが発生することがない。したがって、操作者は、筐体内の状態を確実に、かつ、精度良く観察することができる。
【００１９】
そして、用紙詰まり等の不具合が生じた場合でも、放射光によって、不具合が生じた箇所を照射することができるので、操作者は不具合の状態を観察することができる。
【図面の簡単な説明】
【００２０】
【図１】本発明の実施の形態におけるインクジェットプリンタの要部断面図である。
【図２】本発明の実施の形態におけるインクジェットプリンタの斜視図である。
【図３】本発明の実施の形態におけるインクジェットプリンタの要部を示す斜視図である。
【図４】本発明の実施の形態における照明装置の斜視図である。
【発明を実施するための形態】
【００２１】
以下、本発明の実施の形態について図面を参照しながら詳細に説明する。この場合、画像形成装置としてのインクジェットプリンタについて説明する。
【００２２】
図１は本発明の実施の形態におけるインクジェットプリンタの要部断面図、図２は本発明の実施の形態におけるインクジェットプリンタの斜視図、図３は本発明の実施の形態におけるインクジェットプリンタの要部を示す斜視図、図４は本発明の実施の形態における照明装置の斜視図である。
【００２３】
図において、１０はインクジェットプリンタ、Ｃｓは該インクジェットプリンタ１０の本体、すなわち、装置本体を包囲する筐体、Ｆｒはインクジェットプリンタ１０のフレームであり、該フレームＦｒは、アッパフレームＦｒ１及びロワフレームＦｒ２から成る。
【００２４】
前記アッパフレームＦｒ１は、インクジェットプリンタ１０を前側（図２において手前側）から見たときの左端から右端にかけて延在させて配設された受け板ＰＢ、該受け板ＰＢの左端から立ち上げて形成された第１の主支持部としてのサイドプレートＰＬ１、前記受け板ＰＢの右端から立ち上げて形成された第２の主支持部としてのサイドプレートＰＲ１、前記サイドプレートＰＬ１より所定の距離だけ右方において受け板ＰＢから立ち上げて形成された第１の副支持部としての枠体ＰＬ２、及び前記サイドプレートＰＲ１より所定の距離だけ左方において受け板ＰＢから立ち上げて形成された第２の副支持部としての枠体ＰＲ２を備える。
【００２５】
前記ロワフレームＦｒ２は、インクジェットプリンタ１０の左端の近傍と右端の近傍との間に所定の距離を置いて平行に配設され、アッパフレームＦｒ１を支持する台座３５、３６を備え、該台座３５、３６間に、印刷が終了した後の記録媒体を巻き取るための図示されない巻取装置が配設される。
【００２６】
前記筐体Ｃｓは、前記アッパフレームＦｒ１を包囲する外装体であり、枠体ＰＬ２、ＰＲ２間を包囲する第１の筐体部Ｃｓ１、サイドプレートＰＬ１と枠体ＰＬ２との間を包囲する第２の筐体部Ｃｓ２、及びサイドプレートＰＲ１と枠体ＰＲ２との間を包囲する第３の筐体部Ｃｓ３から成る。また、前記筐体Ｃｓは、頂壁Ｗｔ、該頂壁Ｗｔの前端部から斜め下方に向けて延在させられる前壁Ｗｆ、及び頂壁Ｗｔの後端部から垂下させて延在させられる背壁Ｗｒを備え、前記前壁Ｗｆにおける枠体ＰＬ２、ＰＲ２間に、光透過材料（透明又は半透明の材料）で形成された、筐体Ｃｓ内の状態を観察するための透過窓としての板状のカバー２８が、上端に配設されたヒンジｈｇによって開閉自在に配設される。前記カバー２８は、上端が下端より背壁Ｗｒ側に位置するように傾斜させて配設され、通常は自重で閉状態に置かれ、操作者が下端を持ち上げることによって開状態に置かれる。そして、前記第２、第３の筐体部Ｃｓ２、Ｃｓ３における第１の筐体部Ｃｓ１側の縁部に、閉状態に置かれたカバー２８の下端がヒンジｈｇより前方に位置するように、カバー２８の傾斜角度を設定するための支持片２９が、第１の筐体部Ｃｓ１に向けて突出させて形成される。
【００２７】
なお、サイドプレートＰＬ１、ＰＲ１によって筐体Ｃｓの側壁が構成される。
【００２８】
前記筐体Ｃｓ内において、サイドプレートＰＬ１、ＰＲ１間にレール１５が配設（架設）され、該レール１５に沿ってキャリッジ１７が左右方向、すなわち、主走査方向に移動自在に配設される。そのために、前記サイドプレートＰＲ１に駆動側のプーリ１８が、サイドプレートＰＬ１に従動側のプーリ１９が回転自在に配設され、駆動側のプーリ１８と従動側のプーリ１９とによって無端ベルト２１が走行自在に張設され、該無端ベルト２１の所定の箇所に前記キャリッジ１７が取り付けられる。該キャリッジ１７には、一つ又は複数の、本実施の形態においては、複数の記録ヘッドＨｄｉ（ｉ＝１、２、…、ｎ）が搭載される。また、駆動側のプーリ１８に近接させてキャリッジ走行用の駆動部としてのキャリッジモータ２４が配設される。
【００２９】
前記キャリッジ１７は、レール１５より前方に形成された第１の部分としての主ケース１７Ａ、及び該主ケース１７Ａの上端から後方に向けて延在させて形成された第２の部分としての副ケース１７Ｂを備え、前記主ケース１７Ａ内に、前記記録ヘッドＨｄｉがノズル面を下方に向けて配設される。なお、主ケース１７Ａは、前壁Ｗｆと同じ角度で傾斜させて形成され、記録ヘッドＨｄｉの上方を覆う傾斜壁部Ｖｆを備える。
【００３０】
前記レール１５に沿って、かつ、レール１５と平行に延在させてリニアスケール２３が配設され、該リニアスケール２３の目盛りが、キャリッジ１７に配設された図示されないエンコーダによって読み取られ、該エンコーダのセンサ出力に基づいてキャリッジ１７の位置が検出される。また、キャリッジ１７の位置の変化及び時間に基づいてキャリッジ１７の移動速度が算出される。
【００３１】
したがって、前記キャリッジモータ２４を駆動することによって前記駆動側のプーリ１８を回転させ、無端ベルト２１を走行させると、キャリッジ１７を主走査方向に移動させ、各記録ヘッドＨｄｉを主走査方向に移動させることができる。このとき、キャリッジ１７の移動に伴って各記録ヘッドＨｄｉから各色のインク滴を図示されない記録媒体に向けて吐出し、記録媒体に付着させることによって、記録媒体に文字、イメージ等の画像が形成される。これにより、記録ヘッドＨｄｉよって記録が行われる。なお、本実施の形態においては、記録媒体として、用紙のほかに、塩化ビニル、ＰＥＴ等の樹脂製のフィルム等を使用することができる。
【００３２】
また、前記レール１５に沿って、かつ、レール１５と平行に、すなわち、主走査方向に延在させて、プレート状の形状を有するプラテン２５が配設される。該プラテン２５は、第１の筐体部Ｃｓ１内において、前記受け板ＰＢ上における枠体ＰＬ２、ＰＲ２間に延在させて配設され、プラテン２５上を搬送される記録媒体を支持する。
【００３３】
そして、前記プラテン２５の下方に、記録媒体を負圧によってプラテン２５に引き寄せるための空気吸引装置３８が配設される。該空気吸引装置３８は、プラテン２５の下方の全域に形成され、複数の部屋に区画された吸引室３９、該各吸引室３９の前面に配設された図示されない吸引用のファン等から成る。前記プラテン２５には複数の孔が形成され、吸引用のファンによって各孔を介して吸引室３９に吸引された筐体Ｃｓ内の空気が、図示されないダクトを介して筐体Ｃｓ外に排出される。これにより、記録媒体はプラテン２５によって平坦に支持される。
【００３４】
また、前記第１の筐体部Ｃｓ１内におけるプラテン２５より後方に、第１の媒体案内部としてのリヤペーパガイド２６が配設され、該リヤペーパガイド２６は、図示されない繰出しロールから繰り出された記録媒体を前記プラテン２５に向けて搬送（案内）する。そのために、背壁Ｗｒにおけるリヤペーパガイド２６と対向する箇所に媒体導入口Ｅｉが形成され、前記リヤペーパガイド２６とプラテン２５との間に、搬送部材としての搬送ローラ対３０が回転自在に配設される。
【００３５】
該搬送ローラ対３０は、プラテン２５に隣接させて、インクジェットプリンタ１０の走査方向に延在させて回転自在に配設された第１のローラとしての搬送ローラ３１、及び該搬送ローラ３１より上方において、所定のピッチで複数箇所に回転自在に配設され、記録媒体を搬送ローラ３１に押し付ける第２のローラとしてのピンチローラ３２から成る。搬送用の駆動部としての図示されない搬送モータを駆動し、搬送ローラ３１を回転させると、ピンチローラ３２が連れ回りで回転させられる。
【００３６】
これにより、記録媒体は、搬送ローラ３１とピンチローラ３２とによって挟まれた状態で繰出しロールから繰り出され、リヤペーパガイド２６に沿ってプラテン２５に向けて搬送される。そして、プラテン２５上において、記録媒体と記録ヘッドＨｄｉのノズル面とが対向させられ、記録ヘッドＨｄｉからインク滴が吐出され、記録媒体に付着させられる。
【００３７】
この場合、前記搬送モータを駆動して記録媒体を所定の距離搬送した後、搬送モータを停止させ、その状態でキャリッジ１７を移動させ、記録ヘッドＨｄｉからインク滴を吐出することによって、１走査が行われ、１ライン分の画像が形成される。１走査が終了すると、前記搬送モータを再び駆動して記録媒体を所定の距離搬送した後、搬送モータを停止させ、その状態でキャリッジ１７を移動させ、記録ヘッドＨｄｉからインク滴を吐出することによって、１走査が行われ、１ライン分の画像が形成される。この動作を繰り返すことによって、記録媒体に画像が形成され、印刷が行われる。
【００３８】
なお、本実施の形態においては、シングルパス方式によって印刷が行われるようになっているが、マルチパス方式によって印刷を行う場合は、前記記録媒体を搬送する距離が記録ヘッドＨｄｉの図示されないノズル列より短くされ、複数の走査を行うことによって１ライン分の画像が形成される。
【００３９】
そして、前記第１の筐体部Ｃｓ１内におけるプラテン２５より前方に、印刷が行われた後の記録媒体を筐体Ｃｓ外に案内し、排出するための第２の媒体案内部としてのフロントペーパガイド３３が配設される。該フロントペーパガイド３３は、前記プラテン２５から水平方向に排出された記録媒体を下方に向けて案内するために、湾曲した形状を有する。また、カバー２８の下端とフロントペーパガイド３３との間に媒体排出口Ｅｏが形成される。
【００４０】
したがって、媒体導入口Ｅｉから筐体Ｃｓ内に供給された記録媒体は、リヤペーパガイド２６によって案内されてプラテン２５に送られ、プラテン２５上において、記録ヘッドＨｄｉから吐出されたインク滴が付着させられて印刷が行われ、印刷が行われた後、フロントペーパガイド３３によって案内されて媒体排出口Ｅｏから筐体Ｃｓ外に排出され、ロワフレームＦｒ２に配設された前記巻取装置に送られて、巻き取られる。
【００４１】
なお、前記リヤペーパガイド２６、プラテン２５及びフロントペーパガイド３３には加熱部材としての図示されないヒータが埋設され、記録媒体が、リヤペーパガイド２６において予熱され、プラテン２５及びフロントペーパガイド３３において加熱され、これにより、記録媒体に付着したインク滴が乾燥するのが促進される。
【００４２】
また、第２、第３の筐体部Ｃｓ２、Ｃｓ３内には、記録ヘッドＨｄｉの図示されないノズルを良好な状態に保持するために、各記録ヘッドＨｄｉのノズル面を払拭するワイパー、ノズルの乾燥を防止するキャップ、ノズル内で粘度が高くなったインクを吸引する吸引機構等から成るメンテナンス装置４１、４２が配設される。そして、第３の筐体部Ｃｓ３の所定の箇所に、操作ボタン等から成る操作部、及び表示ランプ等から成る表示部を備えた操作パネル４３が配設される。
【００４３】
ところで、前記インクジェットプリンタ１０においては、筐体Ｃｓの前壁Ｗｆにおける枠体ＰＬ２、ＰＲ２間に前記カバー２８が形成されているので、筐体Ｃｓ内の状態、例えば、画像が記録された記録媒体の状態、記録ヘッドＨｄｉによる記録の状態、メンテナンス装置４１、４２によるメンテナンスの状態、用紙詰まり（ジャム）等の不具合が生じた場合における不具合の状態等をカバー２８を介して観察することができる。
【００４４】
ところが、筐体Ｃｓ内が暗いと、視認性が低く、操作者は筐体Ｃｓ内の状態を十分に観察することができない。
【００４５】
そこで、本実施の形態においては、筐体Ｃｓ内を明るくするために、筐体Ｃｓ内の所定の箇所、本実施の形態においては、筐体Ｃｓ内のプラテン２５より前壁Ｗｆ側、すなわち、カバー２８の下端の裏面に、複数の照明装置４５がキャリッジ１７の走査方向において互いに隣接させて配設され、各照明装置４５から後方に向けて光が放射されるようになっている。
【００４６】
各照明装置４５は、主走査方向（照明装置４５の長手方向）において所定の距離にわたって延在させて形成された光源ユニット４８、及び該光源ユニット４８を包囲する包囲体４９を備える。光源ユニット４８によって発生させられた光は、放射光として放射され、筐体Ｃｓ内の各部位に配設された記録媒体、キャリッジ１７、記録ヘッドＨｄｉ、プラテン２５等の被照射物を照射する。
【００４７】
したがって、キャリッジ１７が筐体Ｃｓ内のいずれの箇所にあっても、被照射物を照射することができ、操作者は筐体Ｃｓ内の状態を十分に観察することができる。しかも、照明装置４５がカバー２８の下端に配設されるので、カバー２８上の透視領域を広く確保することができるだけでなく、操作者による筐体Ｃｓ内の観察が妨げられることがない。
【００４８】
また、プラテン２５の近傍に照明装置４５が配設されるので、放射光によって記録媒体を十分に照射することができる。したがって、印刷が行われた直後の記録媒体の状態を十分に観察することができるので、印刷の不良を早期に発見することができる。
【００４９】
さらに、筐体Ｃｓ内においてプラテン２５より前壁Ｗｆ側に照明装置４５が配設されるので、照明装置４５の放射光が操作者の目に入ることがなく、操作者は筐体Ｃｓ内の状態を確実に観察することができる。
【００５０】
前記光源ユニット４８は、主走査方向に延在させて形成された基板５３、及び該基板５３上に所定の間隔を置いて配設された光源としての複数の発光素子、本実施の形態においては、ＬＥＤ５４を備える。
【００５１】
該各ＬＥＤ５４は、光を放射する範囲が広いので、筐体Ｃｓ内の全体が明るくなり、操作者は筐体Ｃｓ内の状態を確実に観察することができる。すなわち、キャリッジ１７の周辺だけでなく、キャリッジ１７から離れた箇所におけるプラテン２５の状態、印刷が行われた直後の記録媒体の状態等を観察することができる。さらに、インクジェットプリンタ１０において用紙詰まり等の不具合が生じた場合においても、不具合の状態を観察することができる。
【００５２】
また、ＬＥＤ５４は極めて小さいので、照明装置４５を小型化し、薄型化することができる。さらに、ＬＥＤ５４は、発光に伴う発熱量が少なく、消費電力が小さいので、各ＬＥＤ５４の発光強度を大きくすることによって被照射物の照射強度を大きくすることができる。したがって、筐体Ｃｓ内の視認性を高くすることができる。
【００５３】
また、前記包囲体４９は、断面が「Ｕ」字状の形状を有する反射板から成り、ＬＥＤ５４によって発生させられた光を、光路を変更することによってほぼ平行光線から成る放射光にする光路変更部５８、該光路変更部５８の両端に配設された側壁部５９、及び前記光路変更部５８の前端（副走査方向における下流側の端部）を覆い、放射光を放射する光放出部６０を備える。該光放出部６０は、ポリカーボネート等の透明な樹脂、又はガラスによって形成される。
【００５４】
前記光路変更部５８は、後端の近傍に形成され、所定の曲線、本実施の形態においては、放物線形状を有する湾曲部５５、及び該湾曲部５５から前端にかけて互いに平行に形成された平板部５６、５７から成り、湾曲部５５の焦点部分にＬＥＤ５４を置き、ＬＥＤ５４を発光させると、発生させられた光Ａは湾曲部５５で反射させられ、ほぼ平行光線から成る放射光Ｂ〜Ｄになる。
【００５５】
本実施の形態においては、放射光の、プラテン２５の上面に対する角度、すなわち、記録媒体への入射角度θが小さくなるように、前記包囲体４９は、湾曲部５５の焦点部分を通る光軸がわずかに下方に向くように配設される。したがって、各放射光Ｂ〜Ｄの光路は、主としてわずかに下方に向けて傾斜して延びる。また、放射光Ｂが副走査方向に対して平行であるのに対して、放射光Ｃ、Ｄは副走査方向に対して傾斜させられる。
【００５６】
このように、各照明装置４５から放射された放射光は、放射方向が制限され、垂直方向には広がらず、左右方向にだけ広がってプラテン２５に向けて放射され、プラテン２５上の記録媒体が照射される。
【００５７】
そして、操作者の目より低い位置において、照明装置４５から放射され、記録媒体を照射した光は、記録媒体によって反射され、記録媒体からの出射角度が入射角度θと等しく、わずかに上方に向く反射光となり、プラテン２５の後方を照射する。したがって、反射光が操作者の目に入ることはなく、操作者は、筐体Ｃｓ内の状態を確実に観察することができる。
【００５８】
なお、記録媒体に照射された光は、記録媒体によって反射され、プラテン２５の後方を照射するので、筐体Ｃｓ内におけるプラテン２５より背壁Ｗｒ側に図示されない反射部を配設し、記録媒体で反射された反射光を更に反射することによって再反射光とし、再反射光によって筐体Ｃｓ内を明るくすることができる。この場合、反射部が配設される角度は、再反射光が操作者の目に入ることがないように設定される。
【００５９】
さらに、前記反射部に、記録媒体で反射された反射光を内部で拡散させて更に反射するための反射部材を配設することができる。
【００６０】
このように、本実施の形態においては、筐体Ｃｓ内におけるプラテン２５より前壁Ｗｆ側に複数の照明装置４５が配設され、該各照明装置４５の複数のＬＥＤ５４によって発生させられた光が放射光として放射され、放射光によって被照射物が照射される。
【００６１】
したがって、照明装置４５の放射光が操作者の目に入ることがないので、操作者は、筐体Ｃｓ内の状態を確実に観察することができる。
【００６２】
また、複数のＬＥＤ５４によって発生させられた光が放射光として放射されるので、被照射物が筐体Ｃｓ内のいずれの箇所にあっても照射することができるだけでなく、被照射物の照射むらが発生することがない。したがって、操作者は、筐体Ｃｓ内の状態を確実に、かつ、精度良く観察することができる。
【００６３】
そして、用紙詰まり等の不具合が生じた場合でも、放射光によって、不具合が生じた箇所を照射することができるので、不具合の状態を観察することができる。
【００６４】
本実施の形態においては、照明装置４５がカバー２８の裏面に配設されるようになっているが、筐体Ｃｓ内におけるプラテン２５より前壁Ｗｆ側において、カバー２８とは分離させて配設することができる。
【００６５】
例えば、筐体Ｃｓ内におけるプラテン２５より前壁Ｗｆ側であって、カバー２８の下端より背壁Ｗｒ側におけるプラテン２５より高い位置に、主走査方向にわたってフレームを延在させ、該フレームに複数の照明装置を隣接させて配設することができる。なお、前記フレームは、フロントペーパガイド３３上を搬送される記録媒体と干渉することがないように、フロントペーパガイド３３との間に隙間を形成して配設される。
【００６６】
また、本実施の形態においては、照明装置４５から記録媒体に向けて光が放射されるようになっているが、レール１５、ピンチローラ３２等に向けて光を照射することができる。
【００６７】
さらに、本実施の形態においては、前記照明装置４５の光放出部６０が、ポリカーボネート等の透明な樹脂、又はガラスによって形成されるようになっているが、光放出部６０に拡散板を配設し、該拡散板によって、光放出部６０から放射される放射光を拡散させることができる。このようにすると、放射光による記録媒体の照射むらが発生するのを抑制することができるだけでなく、筐体Ｃｓ内の各所に配設された被照射物を照射することができる。
【００６８】
また、インクジェットプリンタ１０が設置された室内の天井等の蛍光灯等の室内照明器具からの光が、カバー２８に当たり、カバー２８に室内照明器具の映像が写ると、被照射物の視認性が低下してしまう。そこで、本実施の形態においては、カバー２８が筐体Ｃｓ内に向けて傾斜させられ、カバー２８の下端が上端より背壁Ｗｒ側に位置させることによって、視認性が低下するのを防止することができる。
【００６９】
この場合、照明装置４５は、カバー２８の下端の裏面において、包囲体４９の光軸がわずかに下方に向くように、下方に向けて傾斜させて配設される。
【００７０】
なお、前記カバー２８には、第２、第３の筐体部Ｃｓ２、Ｃｓ３等との間において、前記支持片２９に代えて、図示されない磁石が配設され、該磁石によって傾斜角度が設定される。
【００７１】
また、本実施の形態において、照明装置４５は光源ユニット４８及び包囲体４９を備えるようになっているが、光源ユニット４８だけを備えるようにすることができ、その場合、光源ユニット４８はカバー２８の下端の裏面に取り付けられ、光源ユニット４８によって発生させられた光によって筐体Ｃｓ内の各所が照射される。
【００７２】
なお、本発明は前記実施の形態に限定されるものではなく、本発明の趣旨に基づいて種々変形させることが可能であり、それらを本発明の範囲から排除するものではない。
【符号の説明】
【００７３】
１０    インクジェットプリンタ
１７    キャリッジ
２５    プラテン
２８    カバー
３０    搬送ローラ対
４５    照明装置
５４    ＬＥＤ
Ｃｓ    筐体
Ｈｄｉ    記録ヘッド
Ｗｆ    前壁
Ｗｒ    背壁
Ｗｔ    頂壁
【図１】
2019034428.tif 000003
【図２】
2019034428.tif 000004
【図３】
2019034428.tif 000005
【図４】
2019034428.tif 000006